(57)【要約】【課題】無線発信機からの測定データなどを受信する無線式多機能ＰＣにおいて、測定データが盗用されることを防止するため、ハードとソフトを組合せた、使い易く、解除することが困難な、無線式多機能ＰＣロックを提供する。【解決手段】無線式多機能ＰＣにおいて、無線発信機３と血圧計３００、脈拍計３０１、歩数計３０２、体温計３０３を接続し、それらによって測定されたデータを無線発信機３によってコンピュータ４上に挿入されている受信機５に伝送し、使用者はコンピュータ４上において自由に閲覧することができ、無線発信機３と受信機５の距離によって使用を制限できる構造を設けるだけではなく、コンピュータ４内に時間制限欄４０を設け、無線発信機３の定時スイッチ３３によって制限時間を選択し、時間管理を行い、コンピュータ４の使用時間を制限し、それにより機密資料を保護する。【選択図】  図５
0003103643.tif 000002
【実用新案登録請求の範囲】
【請求項１】
無線式多機能ＰＣにおいて、
無線発信機とコンピュータに挿入されている受信機は無線による通信により信号の送受信を行う伝送手段を有し、
前記無線発信機と前記受信機の距離によって無線発信機はコンピュータ上の受信機を起動する起動手段を有してコンピュータソフトのパスワード入力プログラムを開き、
前記無線発信機は、人体の血圧又は脈拍又は体温を測定器機或いは歩数計に繋がれており、これらの測定データを同時にコンピュータに挿入されている受信機に伝送し、使用者は随時コンピュータ上においてそのデータを閲覧することができる手段を有しており、
前記測定データを秘密保護するロック機能を有する
ことを特徴とする無線式多機能ＰＣロック。
【請求項２】
前記無線発信機上には定時スイッチが設けられて処理機と接続されており、該処理機には時間制限制御欄が設けられ定時スイッチを押圧することにより、使用制限が必要な時間が選択され、該定時スイッチは前記時間制限制御欄内の三十分バー、一時間バー、二時間バー、三時間バー、四時間バー、五時間バー、六時間バー、七時間バー、八時間バーを選択することができ、コンピュータの使用閉鎖時間を制御することができることを特徴とする請求項１に記載の無線式多機能ＰＣロック。
【請求項３】
前記無線発信機内には処理機が設けられており、該処理機には血圧計と接続されており、測定データは該無線発信機内の発信端子から伝送され、コンピュータ画面の血圧表示ウィンドウに表示されることを特徴とする請求項１に記載の無線式多機能ＰＣロック。
【請求項４】
前記無線発信機内には処理機が設けられており、該処理機には脈拍計と接続されており、測定データは該無線発信機内の発信端子から伝送され、コンピュータ画面の脈拍表示ウィンドウに表示されることを特徴とする請求項１に記載の無線式多機能ＰＣロック。
【請求項５】
前記無線発信機内には処理機が設けられており、該処理機には歩数計と接続されており、測定データは該無線発信機内の発信端子から伝送され、コンピュータ画面の歩数表示ウィンドウに表示されることを特徴とする請求項１に記載の無線式多機能ＰＣロック。
【請求項６】
前記無線発信機内には処理機が設けられており、該処理機には体温計と接続されており、測定データは該無線発信機内の発信端子から伝送され、コンピュータ画面の体温表示ウィンドウに表示されることを特徴とする請求項１に記載の無線式多機能ＰＣロック。
【考案の詳細な説明】
【技術分野】
【０００１】
本考案は、人体の血圧、脈拍、体温、歩数等を測定データを無線発信機により送信し、測定データをコンピュータに挿入されている受信機で受信して、パーソナル・コンピータ（ＰＣ）を管理するいわゆる無線式多機能ＰＣ(パーソナル・コンピータ)において、秘密保護するロック機能を有する所謂無線式多機能ＰＣロックに関わる。
【背景技術】
【０００２】
従来公知構造のＩＢＭ（登録商標）のコンパチブルコンピュータの秘密保護に対する処置は、例えば、特許文献１等に開示されているように、ＤＯＳ環境下において、使用者が一時的に席を離れた時の秘密保護に対する処置がない。
マイクロソフト（登録商標）環境下においては、パスワードによる簡単なモニター保護のプログラムがあるが、簡単なパスワードによる保護なので、解読され易く、多くの使用者は自分が熟知するソフトだけを使用し、ウィンドウズ（登録商標）環境の複雑な設定は、熟知されていないために未だ有効的に利用されていない（図１に示す）。公知構造のコンピュータは、使用者の不注意により秘密保護システムがない場合、極めて容易に短時間で重要な資料が盗難されたり、秘密保護の処置が不完全な場合、盗み取る人間は、システム内のアスキーコードをデコンパイルすることによって、容易にパスワードを取得できる。
【０００３】
ところで、その受信機はＵＳＢインターフェイスをコンピュータとの架け橋とし、使用者がウィンドウズ（登録商標）環境の下で、無線式認識ロックの専属の秘密保護ソフトをインストールした場合、プログラムをインストールすれば即、起動プログラムをウィンドウズ（登録商標）環境に入れることができ、受信機はＵＳＢインターフェイスを通じて秘密保護プログラムと繋がれ、秘密保護ソフトの開閉を制御する。
図２，３に示すように、受信機と発信機が共にある時、受信機と発信機は電気回路方式によって同一の周波数に依存し、さらに固定された時間に確認信号を送信し、使用者自身の決定によって、受信機と発信機は無線式の通信を行わせることができ、送信機から送信し、受信機から受信し、受信機と送信機の距離が一定の距離を超えた時、即ち受信機が送信機の信号を受信できなくなった時、受信機は即座にＵＳＢインターフェイスを介して秘密保護ソフトを起動し、この時、コンピュータの運転方式は、元来のウィンドウズ（登録商標）環境からロック状態に切替り、この時、コンピュータ内部の資料は保護され、容易に盗み出されることはなく、使用者が戻ってきた時、即ち受信機が発信機からの信号を受信した時、受信機はＵＳＢインターフェイスを介して秘密保護ソフトのロック状態を解除し、画面を自動的にウィンドウズ（登録商標）画面に切替え、直接コンピュータを使用することができ、以上の構造により機密資料を保護することができる。
【０００４】
秘密保護ソフトによるロック状態の画面に警告を記載し、資料を盗み取ろうとする人間に犯罪行為であることを警告することができ、その記載内容は使用者が決めることができ、住所、年齢、暗証番号、電話番号、妻の名前等を含み、使用者はパスワードを入力するが、すべての項目欄と暗証番号欄にパスワードを設定する必要はなく、使用者の必要により、項目欄とパスワード欄等から選択でき、誰かが資料を盗み取ろうとした時、先ず正確なパスワードを入力し、ロック状態を解除する必要があり、秘密保護ソフトを通じて資料を盗み出せる可能性は数億万分の一であり、使用者が席を離れたわずか数分間の時間ではロック状態を解除することは不可能であり、それにより機密資料を保護することができる。
【特許文献１】特開２００３−１８６７６３号公報
【考案の開示】
【考案が解決しようとする課題】
【０００５】
本考案は、無線発信機からの測定データなどを受信する無線式多機能ＰＣにおいて、測定データが盗用されること防止するため、ハードとソフトを組合せて、使い易く、解除することが困難な無線式多機能ＰＣロックを提供する。
【課題を解決するための手段】
【０００６】
前記課題を解決するために、請求項１の考案は、無線式多機能ＰＣにおいて、無線発信機とコンピュータに挿入されている受信機は無線による通信により信号の送受信を行う伝送手段を有し、前記無線発信機と前記受信機の距離によって無線発信機はコンピュータ上の受信機を起動する起動手段を有してコンピュータソフトのパスワード入力プログラムを開き、前記無線発信機は、人体の血圧又は脈拍又は体温を測定器機或いは歩数計に繋がれており、これらの測定データを同時にコンピュータに挿入されている受信機に伝送し、使用者は随時コンピュータ上においてそのデータを閲覧することができる手段を有しており、前記測定データを秘密保護するロック機能を有することを特徴とする無線式多機能ＰＣロックである。
【０００７】
請求項２の考案は、前記無線発信機上には定時スイッチが設けられて処理機と接続されており、該処理機には時間制限制御欄が設けられ定時スイッチを押圧することにより、使用制限が必要な時間が選択され、該定時スイッチは前記時間制限制御欄内の三十分バー、一時間バー、二時間バー、三時間バー、四時間バー、五時間バー、六時間バー、七時間バー、八時間バーを選択することができ、コンピュータの使用閉鎖時間を制御することができることを特徴とする請求項１に記載の無線式多機能ＰＣロックである。
【０００８】
請求項３の考案は、前記無線発信機内には処理機が設けられており、該処理機には血圧計と接続されており、測定データは該無線発信機内の発信端子から伝送され、コンピュータ画面の血圧表示ウィンドウに表示されることを特徴とする請求項１に記載の無線式多機能ＰＣロックである。
【０００９】
請求項４の考案は、前記無線発信機内には処理機が設けられており、該処理機には脈拍計と接続されており、測定データは該無線発信機内の発信端子から伝送され、コンピュータ画面の脈拍表示ウィンドウに表示されることを特徴とする請求項１に記載の無線式多機能ＰＣロックである。
【００１０】
請求項５の考案は、前記無線発信機内には処理機が設けられており、該処理機には歩数計と接続されており、測定データは該無線発信機内の発信端子から伝送され、コンピュータ画面の歩数表示ウィンドウに表示されることを特徴とする請求項１に記載の無線式多機能ＰＣロックである。
【００１１】
請求項６の考案は、前記無線発信機内には処理機が設けられており、該処理機には体温計と接続されており、測定データは該無線発信機内の発信端子から伝送され、コンピュータ画面の体温表示ウィンドウに表示されることを特徴とする請求項１に記載の無線式多機能ＰＣロックである。
【００１２】
すなわち、本考案は、ハードとソフトを組合せた、使い易く、ロックを解くことが困難な、無線発信機と受信機間に運用した、多機能の精密無線通信技術であり、前記受信機はＵＳＢインターフェイス装置によってコンピュータ上に設置されており、前記無線発信機とコンピュータに挿入されている受信機は信号の送受信を行い、無線発信機と受信機の距離によって無線発信機はコンピュータ上の受信機を起動し、コンピュータソフトのパスワード入力プログラムを開き、さらに無線発信機は、人体の血圧、脈拍、体温、歩数を測定し、同時に測定データをコンピュータに挿入されている受信機に伝送し、使用者は随時コンピュータ上においてそのデータを閲覧することができ、さらにコンピュータ内に時間制限制御欄を増設し、時間管理を行い、コンピュータを使用する時間を制限することにより正確な判断をし、さらにソフトによって秘密保護の効果を達成する無線式多機能ＰＣロックである。
【考案の効果】
【００１３】
本考案によれば、無線式多機能ＰＣにおいて、人体の血圧、脈拍を測定し、血圧計、脈拍計、歩数計、体温計によって測定したデータを無線発信機によってコンピュータ上に挿入されている受信機に伝送し、使用者はコンピュータ上において自由に閲覧することができ、無線発信機と受信機の距離によって使用を制限することができるだけではなく、同時にコンピュータ内に時間制限欄を設け、時間管理を行い、コンピュータの使用時間を制限することができ、機密資料を保護することができるという効果が得られる。
【考案を実施するための最良の形態】
【００１４】
本考案の好適な実施例を図面に沿って説明するが、図４，５に示すように、本考案は無線式多機能ＰＣロックであり、
使用者が携帯する無線発信機３とコンピュータ４上に挿入された受信機５は秘密保護された信号の送受信を行い、装置を使用して無線発信機３とコンピュータ４ソフトのパスワードの安全メカニズムを構成し、無線発信機３内には処理機３０が設けられており、エンコーダー３１と接続されており、処理機３０は、血圧計３００、脈拍計３０１、歩数計３０２、体温計３０３とも接続されており、測定したデータは発信端子３２から伝送され、前記無線発信機３上には定時スイッチ３３が設けられており、処理機３０と接続されており、定時スイッチ３３を押圧することにより、制限が必要な時間を選択し、コンピュータ４の使用時間を制御し、一方で発信端子３２はコンピュータ４上に挿入されている受信機５を起動し、前記受信機５には処理機５０が設けられており、解読器５１が電気接続されていると同時に、身分認識モジュール５２とも接続されており、さらに解読器５１と受信端子５３は接続されており、解読器５１は解読を行い、さらに身分確認行い、パスワードの安全メカニズムを構成し、無線発信機３の出す信号に身分の間違いがないことを確認した後、処理機５０を介し、ＵＳＢインターフェイス５４をコンピュータ４に接続する。
【００１５】
安全使用メカニズムは、使用者がコンピュータ４に近づくと秘密保護ソフトが起動し、血圧表示ウィンドウ６０、脈拍表示ウィンドウ６１、歩数表示ウィンドウ６２、体温表示ウィンドウ６３を含むデータウィンドウ６が開き、血圧表示ウィンドウ６０、脈拍表示ウィンドウ６１、歩数表示ウィンドウ６２、体温表示ウィンドウ６３によって、人体各部の脈拍、血圧、脈拍数等が表示され、使用者は無線発信機３を首や胸や体の各部位にぶら下げたり、掛けたりして測定を行うことができ、測定されたデータは受信機５を通じてコンピュータ４内に送られ、さらに血圧表示ウィンドウ６０、脈拍表示ウィンドウ６１、歩数表示ウィンドウ６２に表示され、使用者はまたコンピュータ４画面のポインタをデータ画面６の右上にあるクローズボタンに移動させ、クリックすることによりデータウィンドウ６を閉じることもできる。
【００１６】
本考案の実施例の無線式多機能ＰＣロックは、無線発信機３と受信機５の距離によって使用を制限することができるだけではなく、さらにコンピュータ４内に時間制限制御欄４０を増設し、時間管理を行うことができ、コンピュータ４の使用を制限する時間は、時間制限制御欄内の三十分バー４１、一時間バー４２、二時間バー４３、三時間バー４４、四時間バー４５、五時間バー４６、六時間バー４７、七時間バー４８、八時間バー４９から選択することができ、コンピュータの使用時間を制御することができる。
【００１７】
図５に示すように、本考案の実施例は、無線式多機能ＰＣロックであり、人体の血圧、脈拍を測定し、血圧計３００、脈拍計３０１、歩数計３０２、体温計３０３によって測定したデータを無線発信機３によってコンピュータ４上に挿入されている受信機５に伝送し、使用者はコンピュータ４上において自由に閲覧することができ、同時にコンピュータ４内に時間制限欄４０を設け、時間管理を行い、コンピュータ４の使用時間を制限することができる。
【００１８】
図６，７に示すように、前記コンピュータ４画面には時間制限欄４０が設けられており、無線発信機３上には定時スイッチ３３が設けられており、処理機３０と接続されており、定時スイッチ３３を押圧することによって制限が必要な時間を選択し、その時間は、制限時間制御欄４０内の三十分バー４１、一時間バー４２、二時間バー４３、三時間バー４４、四時間バー４５、五時間バー４６、六時間バー４７、七時間バー４８、八時間バー４９から選択し、前記定時スイッチ３３を重複して押圧し、その上から順に従った下に向かっての操作により前記時間制限制御欄内の三十分バー４１、一時間バー４２、二時間バー４３、三時間バー４４、四時間バー４５、五時間バー４６、六時間バー４７、七時間バー４８、八時間バー４９を選択することができ、コンピュータ４は前述の時間制限制御欄４０の制御を受け、コンピュータ４の使用閉鎖時間を設定し、時間制限を行うことができる。
【００１９】
本考案の実施例は、使用者の不注意、またはその他の要素により、無線発信機３と受信機５のどれかがなくなることはなく、仮に両者がない場合においても、専属の秘密保持プログラムの動作に影響を与えることはない。
また、無線発信機３と受信機５がないために、使用者がコンピュータ４を離れる時はウィンドウ画面の右下のツールバーにあるロック図案をクリックする必要があり、それにより秘密保護ソフトが起動し、この時コンピュータ４はロック状態の画面を表示する。そして、再びコンピュータ４に戻ってきた時にはパスワードを入力しロックを解除する必要があり、解除された後、コンピュータ４のロック状態画面はウィンドウズ（登録商標）画面に戻り、使用者は継続して正常にコンピュータ４を使用することができ、それにより機密資料を保護することができる。
【図面の簡単な説明】
【００２０】
【図１】公知構造におけるＰＣロックの欠点を示す図である。
【図２】公知構造における使用者が外出した様子を示す図である。
【図３】公知構造における使用者が戻ってきた様子を示す図である。
【図４】本考案の実施例における測定の様子を示す図である。
【図５】本考案の実施例における無線発信機と受信機の制御の様子を示すブロック図である。
【図６】本考案の実施例における時間制限制御欄の実施動作を示す図である。
【図７】本考案の実施例における時間制限制御欄のもう一つの実施動作を示す図である。
【符号の説明】
【００２１】
１      受信機
２      発信機
３      無線発信機
３０    処理機
３００  血圧計
３０１  脈拍計
３０２  歩数計
３０３  体温計
３１    エンコーダー
３２    発信端子
３３    定時スイッチ
４      コンピュータ
４０    時間制限制御欄
４１    三十分バー
４２    一時間バー
４３    二時間バー
４４    三時間バー
４５    四時間バー
４６    五時間バー
４７    六時間バー
４８    七時間バー
４９    八時間バー
５      受信機
５０    処理機
５１    解読器
５２    身分認識モジュール
５３    受信端子
５４    ＵＳＢインターフェイス装置
６      データウィンドウ
６０    血圧表示ウィンドウ
６１    脈拍表示ウィンドウ
６２    歩数表示ウィンドウ
６３    体温表示ウィンドウ
【図１】
0003103643.tif 000003
【図２】
0003103643.tif 000004
【図３】
0003103643.tif 000005
【図４】
0003103643.tif 000006
【図５】
0003103643.tif 000007
【図６】
0003103643.tif 000008
【図７】
0003103643.tif 000009